(57)【特許請求の範囲】
【請求項１】
静止部と、
回転部と、
前記回転部を前記静止部に対して回転可能に支持する軸受機構と、
前記回転部と共に中心軸を中心として回転して軸方向のエアの流れを発生するインペラと、
ハウジングと、
を備え、
前記静止部が、
ステータと、
前記ステータを直接的または間接的に支持するベース部と、
を備え、
前記回転部が、
前記ステータの径方向外側に配置されるロータマグネットと、
前記ロータマグネットを内側に保持するマグネット保持円筒部を有するロータホルダと、
を備え、
前記インペラが、
前記ロータホルダを覆うカップ部と、
前記カップ部の外周に配置される複数の翼と、
を備え、
前記カップ部が、
前記中心軸に対し径方向外側に広がるカップ蓋部と、
前記カップ蓋部の外縁部から軸方向に伸び、前記マグネット保持円筒部を囲む、略円筒形のカップ円筒部と、
を備え、
前記カップ蓋部と前記カップ円筒部との間の部位または境界と重なる位置に、前記カップ部を貫通するカップ貫通孔が設けられ、
前記ハウジングは、前記複数の翼を囲む側壁部を有し、
前記側壁部が、吸気側の端縁から排気側に向かって窪む凹部、を有する、高湿度環境下にて用いられるファン。
【請求項２】
前記カップ部が、前記カップ蓋部と前記カップ円筒部との間に、径方向外方に向かって前記ベース部側へと傾斜する傾斜部、を備える、請求項１に記載のファン。
【請求項３】
前記カップ貫通孔を規定する内周面の径方向内側の部位の少なくとも一部が、径方向外方から見える、請求項１または２に記載のファン。
【請求項４】
軸方向において、前記カップ貫通孔が前記カップ部を貫通する、請求項１ないし３のいずれかに記載のファン。
【請求項５】
前記カップ貫通孔を規定する内周面の径方向外側の部位の少なくとも一部が、径方向内方から見える、請求項１ないし４のいずれかに記載のファン。
【請求項６】
前記カップ貫通孔が、軸方向に伸びる内周面と、前記内周面の径方向外側の下端から径方向内側に伸びる底面と、を有する、請求項５に記載のファン。
【請求項７】
前記カップ部が、前記カップ貫通孔よりも径方向内側に、前記カップ蓋部を貫通する他のカップ貫通孔、をさらに有する、請求項１ないし６のいずれかに記載のファン。
【請求項８】
前記ロータホルダが、前記マグネット保持円筒部の前記カップ蓋部側の端部から径方向内方に広がるホルダ蓋部、をさらに備え、
前記ホルダ蓋部が、ホルダ貫通孔、を有する、請求項１ないし７のいずれかに記載のファン。
【請求項９】
前記ホルダ貫通孔と、前記カップ貫通孔と、が周方向において同位置に位置する、請求項８に記載のファン。
【請求項１０】
前記ハウジングを前記中心軸に沿って見た形状が略矩形であり、
前記凹部が、前記略矩形のいずれかの辺に位置し、
前記側壁部の内面のうち前記凹部が位置する辺に含まれる部位が、前記辺を下側に向けた場合に、前記凹部に向かって下方に傾斜する、請求項１ないし９に記載のファン。
【請求項１１】
前記側壁部の前記内面に、前記凹部から排気側へと延びる溝が設けられる、請求項１ないし１０に記載のファン。
【請求項１２】
前記側壁部が、取付対象への固定に用いられるねじが挿入されるねじ孔を形成するねじ孔形成部、を備え、
前記側壁部の内面の一部である前記ねじ孔形成部の側面が、吸気側から排気側に向かうに従って前記中心軸に近づく、請求項１ないし１１のいずれかに記載のファン。
【発明の詳細な説明】
【技術分野】
【０００１】
本発明は、高湿度環境下にて用いられるファンに関する。
【背景技術】
【０００２】
特開２０００−１５２５４７号公報には、冷蔵庫の庫内空気を循環させるファン装置が開示される。ファン装置は、モータフレームと、ステータと、軸受と、ロータと、ファンと、を備える。モータフレームの中央に設けられた筒部は、ステータに圧入される。筒部の内側には、軸受が配置される。ステータは、ステータコアの内周面を除き、合成樹脂のモールド層によりモールドされる。ロータは、回転軸と、カップ状のロータヨークと、ロータマグネットと、を備える。回転軸は、軸受に挿入される。回転軸の上部はロータヨークに固定される。ロータヨークの円筒部にロータマグネットが配置される。ファンは、ロータヨークを覆うベース部と、ベース部から外方へと突出する羽根部と、を備える。ファン装置は、ロータヨークの開口部が斜め下方を向くようにして冷蔵庫の冷却室に取り付けられる。
【特許文献１】特開２０００−１５２５４７号公報
【発明の概要】
【発明が解決しようとする課題】
【０００３】
ところで、冷蔵庫等の高湿度環境下にて用いられるファンの場合、インペラとモータの回転部との間の空間に水が溜まったり氷結が生じる。その結果、ファンの駆動時にインペラの回転にアンバランスが生じる。また、インペラや回転部内部の空間に霜が堆積すると、霜が静止部に接触することにより、インペラの回転が妨げられる、いわゆる、インペラロックが発生する虞がある。
【０００４】
本発明は、ファン内の水を排出することを目的としている。
【課題を解決するための手段】
【０００５】
本発明の例示的な一の側面に係るファンは、高湿度環境下にて用いられ、静止部と、回転部と、前記回転部を前記静止部に対して回転可能に支持する軸受機構と、前記回転部と共に中心軸を中心として回転して軸方向のエアの流れを発生するインペラと、ハウジングと、を備え、前記静止部が、ステータと、前記ステータを直接的または間接的に支持するベース部と、を備え、前記回転部が、前記ステータの径方向外側に配置されるロータマグネットと、前記ロータマグネットを内側に保持するマグネット保持円筒部を有するロータホルダと、を備え、前記インペラが、前記ロータホルダを覆うカップ部と、前記カップ部の外周に配置される複数の翼と、を備え、前記カップ部が、前記中心軸に対し径方向外側に広がるカップ蓋部と、前記カップ蓋部の外縁部から軸方向に伸び、前記マグネット保持円筒部を囲む、略円筒形のカップ円筒部と、を備え、前記カップ蓋部と前記カップ円筒部との間の部位または境界と重なる位置に、前記カップ部を貫通するカップ貫通孔が設けられ、前記ハウジングは、前記複数の翼を囲む側壁部を有し、前記側壁部が、吸気側の端縁から排気側に向かって窪む凹部、を有する。
【発明の効果】
【０００６】
本発明によれば、ファン内の水を排出することができる。
【図面の簡単な説明】
【０００７】
【図１】図１は、第１の実施形態に係るファンの断面図である。
【図２】図２は、ファンの平面図である。
【図３】図３は、冷凍室におけるファンの配置を示す図である。
【図４】図４は、ファンの断面図である。
【図５】図５は、ハウジング、支持リブおよびベース部の斜視図である。
【図６】図６は、ファンの平面図である。
【図７】図７は、凹部および溝部を示す図である。
【図８】図８は、ファンの断面図である。
【図９】図９は、他の例に係るハウジングの一部を示す断面図である。
【図１０】図１０は、他の例に係るファンの断面図である。
【図１１】図１１は、さらに他の例に係るファンの断面図である。
【図１２】図１２は、第２の実施形態に係るファンの断面図である。
【図１３】図１３は、ファンの平面図である。
【図１４】図１４は、ファンの断面図である。
【図１５】図１５は、ホルダ貫通孔の他の例を示す図である。
【発明を実施するための形態】
【０００８】
本明細書では、モータの中心軸方向における図１の上側を単に「上側」と呼び、下側を単に「下側」と呼ぶ。なお、上下方向は、実際の機器に組み込まれたときの位置関係や方向を示すものではない。また、中心軸に平行な方向を「軸方向」と呼び、中心軸を中心とする径方向を単に「径方向」と呼び、中心軸を中心とする周方向を単に「周方向」と呼ぶ。
【０００９】
（第１の実施形態）
図１は、本発明の例示的な第１の実施形態に係るファン１の断面図である。ファン１は、軸方向にエアの流れを発生する軸流ファンであり、例えば、冷蔵庫の冷凍室における冷気の循環に利用される。ファン１は、インペラ１１と、モータ１２と、ハウジング１３と、複数の支持リブ１４と、を備える。インペラ１１は、モータ１２により中心軸Ｊ１を中心に回転する。
【００１０】
インペラ１１は樹脂製であり、有蓋略円筒状のカップ部１１１と、複数の翼１１２と、を備える。カップ部１１１は、モータ１２に固定される。カップ部１１１は、カップ蓋部１１３と、カップ円筒部１１４と、リブ１１９と、を備える。カップ蓋部１１３は、中心軸Ｊ１に対して垂直に径方向外側へと広がる。カップ蓋部１１３は、上面から下方に向かって窪む環状の凹部１１３ａ、を有する。カップ円筒部１１４は、中心軸Ｊ１を中心とする略円筒形状であり、カップ蓋部１１３の外縁部から軸方向に延びる。リブ１１９は、カップ円筒部１１４の内周面から径方向内方へと突出し、かつ、軸方向に延びる。複数の翼１１２は、中心軸Ｊ１を中心としてカップ円筒部１１４の外周面から径方向外方に延びる。
【００１１】
図２は、ファン１の平面図である。図１および図２に示すように、カップ蓋部１１３とカップ円筒部１１４との間の境界近傍の部位である角部１１５には、カップ部１１１を軸方向に貫通する複数のカップ貫通孔１１６が設けられる。カップ貫通孔１１６は、凹部１１３ａの底部の一部と軸方向に重なる。凹部１１３ａでは、カップ貫通孔１１６の周方向における両側のエッジに沿って略径方向に渡る領域において盛り上がっており、これらの領域の上面はカップ蓋部１１３の中央部の上面と面一である。すなわち、カップ貫通孔１１６近傍において、凹部１１３ａは設けられない。これにより、カップ貫通孔１１６を避けて凹部３１３ａにバランス調整用の材料を容易に塗布することができる。また、バランス調整用の材料が脱落した場合に、脱落部分がカップ貫通孔１１６内に進入する可能性を低減することができる。
【００１２】
図１に示すように、カップ部１１１では、カップ円筒部１１４の上部が径方向に切り欠かれた状態となっており、カップ貫通孔１１６を規定する内周面１１８の径方向内側の部位の一部が、径方向外方（正確には、中心軸Ｊ１に垂直、かつ、径方向外方）から見える。
【００１３】
図２に示すように、ハウジング１３を中心軸Ｊ１に沿って見た形状は略矩形である。図１および図２に示すように、ハウジング１３は、複数の翼１１２を囲む側壁部１３１、を有する。ハウジング１３は、支持リブ１４を介して図１のモータ１２に接続される。ファン１では、モータ１２によりインペラ１１が中心軸Ｊ１を中心として回転することにより、図１の上側から下側へ、すなわち、図２の紙面手前側から奥側に向かってエアの流れが発生する。
【００１４】
図３は、冷凍室９内におけるファン１の配置を示す図である。図３では、ファン１を模式的に示している。ファン１は、中心軸Ｊ１が重力方向に対して傾斜した状態にて冷凍室９の送風路に設けられた取付対象９１に取り付けられる。冷凍室９内では、ファン１が斜め上方に向かってエアを送ることにより、図３における時計回りにエアの流れが発生する。
【００１５】
図４は、ファン１のモータ１２近傍の断面図である。モータ１２は、アウターロータ型である。モータ１２は、静止部３と、回転部４と、を備える。静止部３は、ベース部３１と、軸受部３２と、ステータ３３と、回路基板３４と、スラストプレート３５と、を備える。ファン１では、ベース部３１、図１の支持リブ１４およびハウジング１３が一繋がりの部材である。ベース部３１は、中心軸Ｊ１を中心とする略円筒状の軸受ハウジング３１１、を有する。軸受ハウジング３１１は、ベース部３１の中央から上方に向かって延びる。スラストプレート３５は、ベース部３１の軸受ハウジング３１１の内側の底面に配置される。
【００１６】
軸受部３２は、中心軸Ｊ１を中心とする略円筒状であり、潤滑油が含浸された金属の焼結体である。軸受部３２は、軸受ハウジング３１１の内側に保持される。ステータ３３は、ステータコア３３１と、コイル３３２と、インシュレータ３３３と、を備える。ステータ３３は、ステータコア３３１の内周面が軸受ハウジング３１１の外周面に固定されることにより、ベース部３１に支持される。コイル３３２は、インシュレータ３３３を介してステータコア３３１上に形成される。回路基板３４は、ステータ３３の下方に配置される。静止部３では、回路基板３４を樹脂材料１２１にて覆う、いわゆる、ポッティングが施される。これにより、回路基板３４への水や埃の付着が防止される。ステータ３３は絶縁塗料により覆われる。これにより、ステータ３３を厚い樹脂でモールドする場合に比べてカップ部１１１の大きさを小さくすることができ、翼１１２を大きくすることができる。以下の他の実施形態においても同様である。
【００１７】
回転部４は、シャフト４１と、ロータホルダ４３と、ロータマグネット４４と、を備える。シャフト４１は、軸受部３２に挿入される。シャフト４１の下部は、スラストプレート３５に軸方向に当接する。ロータホルダ４３は、中心軸Ｊ１を中心とする有蓋略円筒状である。ロータホルダ４３は、カップ部１１１に覆われる。ロータホルダ４３は、マグネット保持円筒部４３１と、ホルダ蓋部４３２と、を備える。マグネット保持円筒部４３１は、カップ円筒部１１４に囲まれる。マグネット保持円筒部４３１の内側に、ロータマグネット４４が保持される。モータ１２の駆動時には、ステータ３３と、ステータ３３の径方向外側に配置されるロータマグネット４４との間にてトルクが発生する。
【００１８】
ホルダ蓋部４３２は、マグネット保持円筒部４３１の図４における上側の端部、すなわち、カップ蓋部１１３側の端部から径方向内方に広がる。ホルダ蓋部４３２の中央に形成された孔部には、シャフト４１の上部が固定される。ロータホルダ４３は、リブ１１９を介してカップ部１１１に圧入される。ロータホルダ４３とカップ部１１１との間には、空間９２が形成される。
【００１９】
モータ１２の駆動時には、シャフト４１と軸受部３２との間のラジアル間隙５１に存在する潤滑油を介して、シャフト４１が軸受部３２に対してラジアル方向に支持される。また、シャフト４１の下部が、スラストプレート３５によりアキシャル方向に支持される。このように、シャフト４１、軸受部３２、スラストプレート３５および潤滑油により、回転部４を静止部３に対して回転可能に支持する軸受機構１２０が構成される。
【００２０】
図５は、ハウジング１３、支持リブ１４およびベース部３１を示す斜視図である。ただし、ベース部３１では、軸受ハウジング３１１の図示を省略している。ハウジング１３の側壁部１３１は、複数のねじ孔形成部２１と、凹部２２と、溝２３と、を有する。ねじ孔形成部２１は、ハウジング１３の角部１３ａに設けられる。ねじ孔形成部２１は、ねじ孔２１１を形成する。ねじ孔２１１は、ねじ孔形成部２１を軸方向に貫通する。ねじ孔２１１にねじが挿入されることにより、ハウジング１３が、図３の取付対象９１に固定される。ねじ孔形成部２１の径方向内側の側面２１２は、側壁部１３１の内面１３２の一部を構成する。図６は、ファン１の一部を示す平面図である。図６では、ねじ孔形成部２１の側面２１２に平行斜線を付している。側面２１２は、図６の手前側であるファン１の吸気側から図６の奥側である排気側に向かうに従って中心軸Ｊ１に近づく傾斜面である。
【００２１】
図７は、凹部２２および溝２３をハウジング１３の内側から見た図である。凹部２２は、側壁部１３１の図７の上側の端縁、すなわち、吸気側の端縁１３１ａから排気側に向かって窪む。溝２３は、側壁部１３１の内面１３２に設けられる。溝２３は、凹部２２から排気側へと延びる。冷凍室９内では、図６に示す側壁部１３１の凹部２２が位置する辺１３１ｂが、重力方向における下側に向けられる。
【００２２】
図８は、図３の取付対象９１に取り付けられた状態のファン１の一部を示す断面図である。冷蔵庫が除霜運転を行う際には、カップ部１１１の表面やロータホルダ４３の表面に付着した霜が水滴となる。インペラ１１の上下が反転した状態でファン１が冷凍室９内に配置されることから、カップ部１１１とロータホルダ４３との間の空間９２に水が溜まる。カップ貫通孔１１６がインペラ１１の重力方向における下側の部位に位置するため、空間９２内の水はカップ貫通孔１１６を介してカップ部１１１の外側に排出される。また、ファン１が回転することにより空間９２内の水に遠心力が作用し、水をカップ貫通孔１１６を介してカップ部１１１の外側により効率よく排出することができる。
【００２３】
既述のように、図６に示す凹部２２が位置する辺１３１ｂは、重力方向における下側に向けられる。したがって、側壁部１３１の内面１３２に付着した水滴は、辺１３１ｂに集まり、凹部２２を介してハウジング１３の外側に排出される。また、溝２３が、凹部２２の排気側、すなわち、図６の奥側の端部から排気側に向かって延びることから、ハウジング１３の排気側の部位に溜まった水を凹部２２へと容易に導くことができる。ねじ孔形成部２１の側面２１２は、ファン１の吸気側から排気側に向かうに従って中心軸Ｊ１に近づくため、側面２１２の図６における上側の部位は、排気側から吸気側に向かって重力方向における下側へと大きく傾斜する。すなわち、重力方向において、吸気側が下側に傾斜する。これにより、上方から側面２１２へと流れて来た水滴は、側面２１２の吸気側の端部へと容易に流れる。
【００２４】
以上、第１の実施形態に係るファン１について説明したが、カップ部１１１にカップ貫通孔１１６が設けられることにより、カップ部１１１とロータホルダ４３との間に存在する水をカップ部１１１の外側に容易に排出することができる。これにより、カップ部１１１内に水または霜が溜まることによるインペラ１１の回転のアンバランスを抑制することができる。また、カップ部１１１とロータホルダ４３との間に堆積した霜がベース部３１等の静止部３に接触することにより、回転部４およびインペラ１１の回転が妨げられることが防止される。ハウジング１３に凹部２２が設けられることにより、側壁部１３１の内面１３２に付着した水滴をハウジング１３の外側に容易に排出することができる。これにより、ハウジング１３の側壁部１３１の内面１３２に霜が溜まることによるインペラロックを防止することができる。
【００２５】
カップ貫通孔１１６の内周面１１８の径方向内側の部位が、径方向外方に露出することにより、内周面１１８の当該部位へと移動した水滴が、遠心力によりカップ部１１１の外側に容易に排出される。カップ貫通孔１１６が軸方向に貫通することにより、カップ貫通孔１１６を容易に成型することができる。以下の他の実施形態においても同様である。
【００２６】
図９は、他の例に係るハウジング１３を中心軸Ｊ１（図６参照）に垂直な面で切断した断面の一部を示す図である。側壁部１３１の内面１３２のうち、凹部２２が位置する辺１３１ｂに含まれる部位は、凹部２２の両側に傾斜面２４を有する。凹部２２を含む辺１３１ｂが重力方向における下側に向けられた状態にてハウジング１３が取付対象９１に固定された場合に、傾斜面２４は、凹部２２に向かって下方に傾斜する。傾斜面２４が設けられることにより、側壁部１３１の内面１３２に付着した水滴を凹部２２へと容易に導くことができる。
【００２７】
図１０は、他の例に係るファン１を示す図である。カップ部１１１は、カップ貫通孔１１６よりも径方向内側にて、カップ蓋部１１３を軸方向に貫通する他のカップ貫通孔１１６ａをさらに備える。ファン１の駆動時には、カップ部１１１内の水がカップ貫通孔１１６，１１６ａを介してカップ部１１１の外側に排出される。カップ貫通孔１１６ａが設けられることにより、カップ部１１１内からの水の排出をより効率よく行うことができる。以下の他の実施形態においても、カップ蓋部１１３にカップ貫通孔１１６ａが設けられてよい。
【００２８】
図１１は、さらに他の例に係るファン１を示す図である。ファン１では、ホルダ蓋部４３２が、軸方向に貫通するホルダ貫通孔４３２ａを有する。ホルダ貫通孔４３２ａを介して、ロータホルダ４３とカップ部１１１との間の空間９２と、ロータホルダ４３の内側の空間９３とが繋がる。これにより、ロータホルダ４３の内側に溜まった水を排出することができる。その結果、回転部４と静止部２との間に霜が堆積することを防ぎ、回転部４およびインペラ１１の回転が妨げられることが防止される。なお、ホルダ貫通孔４３２ａは、カップ貫通孔１１６と同じ周方向の位置に設けられることが好ましい。
【００２９】
（第２の実施形態）
図１２は、第２の実施形態に係るファン１ａを示す図である。ファン１ａは、例えば、冷蔵庫の冷蔵室における冷気の循環に利用される。冷蔵室内において、ファン１ａは、図３に示すファン１と同様に、ファン１ａの図１２の上側の端部である吸気側の端部を斜め下方または下方に向けた状態にて取付対象に取り付けられる。ファン１ａは、図１のインペラ１１とは異なる形状のインペラ１１ａを備える。インペラ１１ａは、カップ部１１１ａと、複数の翼１１２と、を備える。カップ部１１１ａは、カップ蓋部１１３と、カップ円筒部１１４と、傾斜部１１７と、を備える。傾斜部１１７は、カップ蓋部１１３と、カップ円筒部１１４との間の部位であり、径方向外方に向かってベース部３１側へと傾斜する。
【００３０】
図１３は、ファン１ａの平面図である。図１２および図１３に示すように、傾斜部１１７は、傾斜部１１７を軸方向に貫通するカップ貫通孔１１６ｂを有する。図１４は、カップ貫通孔１１６ｂを拡大して示す図である。カップ貫通孔１１６ｂの内周面１１８の径方向内側の部位全体は、径方向外方（正確には、中心軸に垂直かつ径方向外方）から見える。内周面１１８の径方向外側の部位全体は、径方向内方（正確には、中心軸に垂直かつ径方向外方）から見える。なお、内周面１１８の径方向内側の部位の一部のみが径方向外方から見えてもよく、内周面１１８の径方向外側の部位の一部のみが径方向内方から見えてもよい。また、内周面１１８の径方向外側の部位の下端から径方向内側に延びる部位１１８ｃが僅かに設けられる。
【００３１】
図１２に示すファン１ａのロータホルダ４３ａは略円筒状であり、マグネット保持円筒部４３１と、環状部４３３と、を備える。環状部４３３は、マグネット保持円筒部４３１の上部から径方向内側に広がる。環状部４３３の内側は、大きな開口４３４となっている。ファン１ａでは、ロータホルダ４３ａおよびカップ部１１１ａの内側の空間９４が、カップ貫通孔１１６ｂを介してカップ部１１１ａの外側の空間に繋がる。ファン１ａの他の構造は、第１の実施形態に係るファン１と同様である。以下、同様の構成には、同符号を付す。
【００３２】
既述のように、ファン１ａは、吸気側の端部が斜め下方を向いた状態にて冷蔵室内に取り付けられるため、ホルダ蓋部４３２の内側に水が溜まる。ファン１ａが回転することにより空間９４内の水に遠心力が作用し、水がカップ貫通孔１１６ｂを介してカップ部１１１ａの外側に排出される。カップ部１１１ａから排出された水は、ハウジング１３の吸気側の端部からファン１ａの外側に排出される。
【００３３】
第２の実施形態においても、カップ部１１１ａにカップ貫通孔１１６ｂが設けられることにより、カップ部１１１ａの内側に存在する水をカップ部１１１ａの外側に容易に排出することができる。カップ貫通孔１１６ｂの内周面１１８の径方向内側の部位が、径方向外方に露出することにより、内周面１１８の当該部位へと移動した水滴を容易にカップ部１１１の外側に排出することができる。内周面１１８の径方向外側の部位が、径方向内方に露出することにより、カップ蓋部１１３の内側の面に存在する水滴が、遠心力により当該部位へと容易に移動する。その結果、カップ貫通孔１１６ｂから水滴がより容易に排出される。
【００３４】
図１５は、カップ貫通孔の他の例を示す図である。カップ貫通孔１１６ｃは、内周面１１８ａと、底面１１８ｂと、を有する。内周面１１８ａは、軸方向に延びる。底面１１８ｂは、内周面１１８ａの径方向外側の部位の下端から径方向内側に延びる。内周面１１８ａの径方向外側の部位の下部は、径方向内方から見える。これにより、カップ蓋部１１３の内側の面に存在する水滴が、カップ貫通孔１１６ｃへと容易に移動する。なお、図１４の部位１１８ｃも内周面１１８の底面と捉えられてもよい。
【００３５】
以上、本発明の実施形態について説明したが、本発明は上記実施形態に限定されるものではなく、様々な変更が可能である。
【００３６】
上記実施形態では、カップ蓋部１１３は中心軸Ｊ１に対して垂直であるが、中心軸Ｊ１に対して略垂直であれば正確に垂直である必要はない。カップ円筒部１１４は中心軸Ｊ１に平行であるが、軸方向に延びるのであれば、中心軸Ｊ１に平行である必要はない。例えば、カップ円筒部１１４は、下方に向かうに従って径方向外方に広がるように傾斜してもよい。したがって、カップ蓋部１１３とカップ円筒部１１４との境界は厳密に定められる必要はない。第１の実施形態では、カップ蓋部１１３とカップ円筒部１１４との間の境界が明確に現れ、第２の実施形態では、カップ蓋部１１３とカップ円筒部１１４との間の部位として傾斜部１１７が存在するが、境界や傾斜部は明確に現れる必要はない。例えば、カップ蓋部１１３とカップ円筒部１１４とが幅の広い滑らかな曲面にて接続されてもよい。
【００３７】
カップ部１１１の形状がどのような場合であっても、インペラ１１では、カップ蓋部１１３とカップ円筒部１１４との間の部位または境界と重なる位置に、カップ部１１１を貫通するカップ貫通孔１１６が設けられることにより、カップ部１１１の内側に存在する水を容易に排出することができる。カップ貫通孔１１６は、カップ蓋部１１３およびカップ円筒部１１４の双方と部分的に重なってもよい。カップ蓋部１１３とカップ円筒部１１４との間の部位（以下、「中間部」という。）が存在する場合は、カップ貫通孔１１６は、中間部に一部が重なり、カップ蓋部１１３に他の部位が重なってもよく、中間部に一部が重なり、カップ円筒部１１４に他の部位が重なってもよい。さらには、カップ貫通孔１１６は、中間部のみと重なってもよい。
【００３８】
第２の実施形態では、図５に示すハウジング１３と同様に、側壁部１３１に凹部２２および溝２３が設けられてもよく、ねじ孔形成部２１のねじ孔２１１よりも内側の側面２１２が、吸気側から排気側に向かって中心軸Ｊ１に近づく傾斜面であってもよい。凹部２２や溝２３は、複数設けられてもよい。
【００３９】
第１の実施形態では、カップ貫通孔１１６の内周面１１８の径方向内側の部位の少なくとも一部が径方向外方から見えることにより、カップ部１１１内から当該部位に移動した水滴をカップ部１１１の外側に容易に排出することができる。第２の実施形態においても同様である。
【００４０】
ステータ３３は、ベース部３１の軸受ハウジング３１１に直接的に支持されるが、スペーサ等を介して間接的に支持されてもよい。軸受機構１２０は、玉軸受等を利用するものであってもよい。冷蔵庫内においてファン１，１ａは様々な姿勢にて配置されてよい。例えば、中心軸Ｊ１が水平方向を向くようにファン１，１ａが取付対象に取り付けられてもよい。この場合、図６に示す凹部２２は重力方向下側に位置する。中心軸Ｊ１が重力方向を向いた状態にて、ファン１，１ａの吸気側の開口を下方に向けてもよい。
【００４１】
ファン１，１ａは、冷蔵庫以外に洗濯機や食器洗い機等の高湿度環境下にて用いられる様々な機器に搭載されてよい。
【００４２】
上記実施形態および各変形例における構成は、相互に矛盾しない限り適宜組み合わされてよい。
【産業上の利用可能性】
【００４３】
本発明は、軸方向にエアの流れを発生するファンに利用可能である。
【符号の説明】
【００４４】
１，１ａ    ファン
３    静止部
４    回転部
１１，１１ａ    インペラ
１３    ハウジング
２１    ねじ孔形成部
２２    凹部
２３    溝
３１    ベース部
３３    ステータ
４３，４３ａ    ロータホルダ
４４    ロータマグネット
９１    取付対象
１１１，１１１ａ    カップ部
１１２    翼
１１３    カップ蓋部
１１６，１１６ａ〜１１６ｃ    カップ貫通孔
１１４    カップ円筒部
１１７    傾斜部
１１８，１１８ａ    （カップ貫通孔の）内周面
１１８ｂ    （カップ貫通孔の）底面
１２０    軸受機構
１３１    側壁部
１３１ａ    （側壁部の）端縁
１３１ｂ    辺
２１１    ねじ孔
２１２    （ねじ孔形成部の）側面
４３１    マグネット保持円筒部
４３２    ホルダ蓋部
４３２ａ    ホルダ貫通孔
Ｊ１    中心軸
【図１】
0005834342.tif 000002
【図２】
0005834342.tif 000003
【図３】
0005834342.tif 000004
【図４】
0005834342.tif 000005
【図５】
0005834342.tif 000006
【図６】
0005834342.tif 000007
【図７】
0005834342.tif 000008
【図８】
0005834342.tif 000009
【図９】
0005834342.tif 000010
【図１０】
0005834342.tif 000011
【図１１】
0005834342.tif 000012
【図１２】
0005834342.tif 000013
【図１３】
0005834342.tif 000014
【図１４】
0005834342.tif 000015
【図１５】
0005834342.tif 000016